(57)【要約】【課題】本開示は、ホースの取り回しの自由度を高めることが可能なホースリールを説明する。【解決手段】ホースリールは、メインホースを収容するように構成されており、メインホースの取出口となる第１の開口部を含むメインユニットと、メインユニット内に位置するようにメインユニットに対して回転可能に取り付けられており、メインホースが巻回されるように構成されたドラムと、メインユニットの外壁面に取り付けられており、サブホースを収容するように構成されたサブユニットと、ドラムを介してメインユニットの内部とサブユニットの内部との間で延びており、一端にメインホースの基端が接続されると共に他端にサブホースの基端が接続されるように構成された配管部とを備える。サブユニットは、サブホースの取出口となる第２の開口部を含み、メインユニットに対して独立して回転可能に構成されている。【選択図】図３
2020007077.tif 000002
【特許請求の範囲】
【請求項１】
メインホースを収容するように構成されており、前記メインホースの取出口となる第１の開口部を含むメインユニットと、
前記メインユニット内に位置するように前記メインユニットに対して回転可能に取り付けられており、前記メインホースが巻回されるように構成されたドラムと、
前記メインユニットの外壁面に取り付けられており、サブホースを収容するように構成されたサブユニットと、
前記ドラムを介して前記メインユニットの内部と前記サブユニットの内部との間で延びており、一端に前記メインホースの基端が接続されると共に他端に前記サブホースの基端が接続されるように構成された配管部とを備え、
前記サブユニットは、前記サブホースの取出口となる第２の開口部を含み、前記メインユニットに対して独立して回転可能に構成されている、ホースリール。
【請求項２】
前記サブユニットは、
円形状を呈する主壁と、
前記主壁と前記メインユニットとの間で延びており、円筒状を呈する周壁とを含み、
前記第２の開口部は前記周壁に設けられており、
前記主壁は、前記周壁に対して独立して回転可能に構成されている、請求項１に記載のホースリール。
【請求項３】
前記サブユニットの回転可能範囲を第１の位置と第２の位置との間の範囲内に限定するように構成された規制部材をさらに備える、請求項１又は２に記載のホースリール。
【請求項４】
前記規制部材は、前記サブユニットと係止可能に構成された係止片、前記サブユニットとの間で摩擦力を生じさせる摩擦部材、又は前記サブユニットの回転量に応じた復元力を生じさせる弾性部材である、請求項３に記載のホースリール。
【請求項５】
前記第１の位置は、前記メインユニットの底部が載置面に載置された状態で、前記第２の開口部の向きが水平面に対して１０°〜８０°となる位置であり、
前記第１の開口部の前記底部側には、前記サブホースの先端に取り付けられるコネクタを収納可能に構成された収納部が設けられている、請求項３又は４に記載のホースリール。
【請求項６】
前記第２の位置は、前記メインユニットの底部が載置面に載置された状態で、前記第２の開口部の向きが水平面に対して１９０°〜２６０°となる位置である、請求項３〜５のいずれか一項に記載のホースリール。
【発明の詳細な説明】
【技術分野】
【０００１】
本開示は、ホースリールに関する。
【背景技術】
【０００２】
特許文献１は、第１のホースを巻き取り可能に構成された第１のドラムと、第２のホースを巻き取り可能に構成された第２のドラムと、第１及び第２のドラムを収容する筐体とを備えるホースリールを開示している。第１及び第２のドラムは、並列に並べられており、流路によって流体的に接続されている。そのため、第１のホースを蛇口に取り付けて蛇口から給水を行うと、水は、第１のホース、流路、第２のホースの順に流れ、第２のホースの先端から吐出される。
【先行技術文献】
【特許文献】
【０００３】
【特許文献１】特開平９−１９４１４６号公報
【発明の概要】
【発明が解決しようとする課題】
【０００４】
特許文献１のホースリールにおいては、同一の筐体に２つのドラムが収容されており、第１及び第２のホースの筐体からの取出口の位置は固定されている。そのため、水栓と散水対象の領域との位置関係によっては、ホースの取り回しが煩雑になったり、ホースの折れが発生したりする懸念がある。
【０００５】
そこで、本開示は、ホースの取り回しの自由度を高めることが可能なホースリールを説明する。
【課題を解決するための手段】
【０００６】
本開示の一つの観点に係るホースリールは、メインホースを収容するように構成されており、メインホースの取出口となる第１の開口部を含むメインユニットと、メインユニット内に位置するようにメインユニットに対して回転可能に取り付けられており、メインホースが巻回されるように構成されたドラムと、メインユニットの外壁面に取り付けられており、サブホースを収容するように構成されたサブユニットと、ドラムを介してメインユニットの内部とサブユニットの内部との間で延びており、一端にメインホースの基端が接続されると共に他端にサブホースの基端が接続されるように構成された配管部とを備える。サブユニットは、サブホースの取出口となる第２の開口部を含み、メインユニットに対して独立して回転可能に構成されている。
【発明の効果】
【０００７】
本開示に係るホースリールによれば、ホースの取り回しの自由度を高めることが可能となる。
【図面の簡単な説明】
【０００８】
【図１】図１は、使用状態のホースリールの一例を示す斜視図である。
【図２】図２は、取出口が第１の位置にあるホースリールの一例を、散水ノズル及びコネクタが収納部に収納された状態で示す斜視図である。
【図３】図３は、ホースリールの一例を示す分解斜視図である。
【図４】図４は、サイドリングを背面側から示す斜視図である。
【図５】図５は、取出口が第１の位置にあるホースリールの一例を、サイドカバーを除いた状態で示す側面図である。
【図６】図６は、取出口が第２の位置にあるホースリールの一例を、サイドカバーを除いた状態で、後ろ側下方から示す側面図である。
【図７】図７は、取出口が第２の位置にあるホースリールの一例を、サイドカバーを除いた状態で示す側面図である。
【発明を実施するための形態】
【０００９】
以下に、本開示に係る実施形態の一例について、図面を参照しつつより詳細に説明する。以下の説明において、同一要素又は同一機能を有する要素には同一符号を用いることとし、重複する説明は省略する。
【００１０】
［散水具の構成］
散水具１の構成について、図１を参照して説明する。散水具１は、図１に示されるように、ホース２Ａ，２Ｂと、散水ノズル３と、スイングコネクタ４と、ホースリール１０とを備える。ホース２Ａ（メインホース）は、ホースリール１０のメインユニット２０（後述する）内に収納される。ホース２Ａの先端には、ロータリコネクタ５Ａが取り付けられている。ホース２Ｂ（サブホース）は、ホースリール１０のサブユニット３０（後述する）内に収容される。ホース２Ｂの先端には、ロータリコネクタ５Ｂ（コネクタ）が取り付けられている。
【００１１】
散水ノズル３は、本体３ａと、ノズル口３ｂと、レバー３ｃとを含む。本体３ａの先端部には、ノズル口３ｂから吐出される水流の種類（例えば、シャワー、ストレート、ミスト、ジョロなど）を示すマークが付されている。ノズル口３ｂは、本体３ａの先端部に対して回転可能となるように当該先端部に取り付けられている（図１の矢印Ａｒ１参照）。ノズル口３ｂは、本体３ａの長手方向に延びる軸周りに回転する。図に示される例では、本体３ａ及びノズル口３ｂは、全体として直方体形状を呈している。
【００１２】
散水ノズル３は、本体３ａに対するノズル口３ｂの角度に応じて、ノズル口３ｂから吐出される水流の種類が切り替わるように構成されている。例えば、ノズル口３ｂの側面が本体３ａの側面と一致するときに、いずれか一つの水流がノズル口３ｂから吐出される。レバー３ｃは、本体３ａに対して旋回可能に取り付けられている。例えば、レバー３ｃは、レバー３ｃが本体３ａに対して押し込まれたときにノズル口３ｂから散水が行われ、レバー３ｃが本体３ａに対して離間したときにノズル口３ｂからの散水が停止するように構成されていてもよい。
【００１３】
スイングコネクタ４は、散水ノズル３とロータリコネクタ４Ａとを接続している。スイングコネクタ４は、先端側に位置するロータリコネクタ４ａと、基端側に位置するニップル４ｂと、これらを旋回可能に接続する接続部４ｃとを含む。ロータリコネクタ４ａは、本体３ａの基端部に位置するニップル３ｄに対して着脱可能で且つ回転可能に接続されている。
【００１４】
ロータリコネクタ５Ａは、スイングコネクタ４のニップル４ｂに対して着脱可能で且つ回転可能に接続されている。ロータリコネクタ５Ｂは、水道栓６の蛇口に取り付けられたニップル６ａに対して着脱可能で且つ回転可能に接続されている。
【００１５】
［ホースリールの構成］
続いて、ホースリール１０の構成について、図１〜図５を参照して説明する。ホースリール１０は、図１〜図３に示されるように、メインユニット２０と、サブユニット３０とを含む。
【００１６】
メインユニット２０は、ホース２Ａを収容するように構成されている。メインユニット２０は、図２及び図３に示されるように、ハウジング２２（メインハウジング）と、ドラム２４と、配管部２６とを含む。ハウジング２２は、側壁２２ａ，２２ｂと、底壁２２ｃと、天壁２２ｄと、後壁２２ｅとを含む。
【００１７】
側壁２２ａ，２２ｂは、互いに向かい合っており、矩形状を呈している。側壁２２ａは、図３及び図５に示されるように、３つのガイド片２２ｆと、２つの係止片２２ｇ（規制部材）とを含む。側壁２２ａは、少なくとも一つのガイド片２２ｆと、少なくとも一つの係止片２２ｇとを含んでいてもよい。
【００１８】
ガイド片２２ｆは、側壁２２ａの外壁面Ｓから外側に向けて突出している。ガイド片２２ｆは、側方から見て円弧状を呈している。図に示される形態では、３つのガイド片２２ｆは、ドラム２４の回転軸を中心とする第１の仮想円に沿って延びている。
【００１９】
ガイド片２２ｆの断面形状は、略Ｌ字状を呈している。すなわち、ガイド片２２ｆの先端部は、ドラム２４の回転軸を中心として径方向外方に向かうように屈曲されている。図に示される形態では、３つのガイド片２２ｆはそれぞれ、側壁２２ａの前方上側、後方上側及び後方下側の各角部寄りに配置されている。
【００２０】
係止片２２ｇは、側壁２２ａの外壁面Ｓから外側に向けて突出している。係止片２２ｇは、側方から見て円弧状を呈している。図に示される形態では、２つの係止片２２ｇは、ドラム２４の回転軸を中心とし且つガイド片２２ｆの基端部よりも径方向外方を通る第２の仮想円に沿って延びている。２つの係止片２２ｇは、側壁２２ａの前方下側寄りに互いに離間して配置されている。
【００２１】
底壁２２ｃは、図３に示されるように、側壁２２ａ，２２ｂの下部同士を接続するようにこれらの間を延びている。底壁２２ｃの前部には、特に図２に示されるように、散水ノズル３及びロータリコネクタ５Ｂを収納可能に構成された収納部ＳＴが設けられている。
【００２２】
収納部ＳＴには、散水ノズル３及びロータリコネクタ５Ｂの外形に対応する形状の規制片ＳＴａが底壁２２ｃに沿って延びている。そのため、収納部ＳＴに収納された状態の散水ノズル３及びロータリコネクタ５Ｂは、規制片ＳＴａによって、がたつきなどが抑制された状態で収納部ＳＴに保持される。
【００２３】
天壁２２ｄは、側壁２２ａ，２２ｂの上部同士を接続するようにこれらの間を延びている。天壁２２ｄにはハンドルＨ１が設けられている。ユーザは、ハンドルＨ１を利用してホースリール１０を持ち運びすることが可能である。後壁２２ｅは、側壁２２ａ，２２ｂ、底壁２２ｃ及び天壁２２ｄの後部同士を接続するようにこれらの間を延びている（図６参照）。
【００２４】
ハウジング２２の前方には壁が設けられていない。すなわち、ハウジング２２の前方には、側壁２２ａ，２２ｂ、底壁２２ｃ及び天壁２２ｄの前部によって開口部ＯＰ１（第１の開口部）が構成されている。開口部ＯＰ１は、ハウジング２２の内外を連通しており、ホース２Ａ及び散水ノズル３の出入りと、ホース２Ｂの先端及びロータリコネクタ５Ｂの出入りとが行えるようになっている（図１及び図２参照）。
【００２５】
ドラム２４は、ホース２Ａを巻き取ってハウジング２２内に収納する機能を有する。ドラム２４は、図３に示されるように、円筒状を呈する筒状体２４ａと、一対の端面板２４ｂ，２４ｃとを含む。筒状体２４ａは、側壁２２ａ，２２ｂに対して回転可能に取り付けられている。すなわち、筒状体２４ａの一端は側壁２２ａを貫通しており、筒状体２４ａの他端は側壁２２ｂを貫通している。筒状体２４ａの他端には、図示しない回転ハンドルが取り付けられている。ユーザは、当該回転ハンドルを所定の方向に回転させることにより、ドラム２４から引き出されているホース２Ａをドラム２４に巻き取ることが可能である。
【００２６】
端面板２４ｂは、筒状体２４ａの一端側に一体的に設けられている。端面板２４ｃは、筒状体２４ａの他端側に一体的に設けられている。これらの端面板２４ｂ，２４ｃは、ホース２Ａがドラム２４に巻き取られる際に、ホース２Ａの筒状体２４ａからの脱落を防止する機能を有する。
【００２７】
配管部２６は、筒状体２４ａの内部を通り、メインユニット２０とサブユニット３０との間を延びている。配管部２６の一端は、例えばＬ字状に屈曲されており、筒状体２４ａを貫通している。配管部２６の一端には、ホース２Ａの基端が取り付けられている。配管部２６の他端は、例えばＬ字状に屈曲されており、サブユニット３０内に露出している。配管部２６の他端には、ホース２Ｂの基端が取り付けられている。
【００２８】
サブユニット３０は、ホース２Ｂを収容するように構成されている。サブユニット３０は、図２及び図３に示されるように、サイドリング３２（周壁）と、サイドカバー３４（主壁）とを含む。
【００２９】
サイドリング３２は、円筒状を呈しており、側壁２２ａの外壁面Ｓとサイドカバー３４との間で延びている。サイドリング３２は、図３及び図４に示されるように、開口部ＯＰ２（第２の開口部）と、突条３２ａ（規制部材）とを含む。
【００３０】
開口部ＯＰ２は、サブユニット３０の内外を連通しており、ホース２Ｂの出入りが行えるようになっている（図１及び図２参照）。突条３２ａは、図４に示されるように、側壁２２ａ側におけるサイドリング３２の端縁から内側に向けて突出している。突条３２ａは、当該端縁に沿って部分的に延びており、側方から見て円弧状を呈している。
【００３１】
突条３２ａの先端は、ガイド片２２ｆの先端側の屈曲部と嵌まり合い、ドラム２４の回転軸の径方向において係止片２２ｇよりも内側（回転軸寄り）に位置している。すなわち、突条３２ａの先端は、ドラム２４の回転軸を中心として、ガイド片２２ｆの基端部よりも径方向外方に位置し且つ係止片２２ｇよりも径方向内方に位置している。
【００３２】
サイドリング３２は、突条３２ａがガイド片２２ｆによって案内されることにより、側壁２２ａの外壁面Ｓに対して回転可能に取り付けられている。図５に示されるように、サイドリング３２が時計回りに回転して、突条３２ａが一方の係止片２２ｇと当接すると、サイドリング３２の時計回りでの回転が規制される（矢印Ａｒ３参照）。このとき、サイドリング３２の開口部ＯＰ２は、図２及び図３に示されるように、前方斜め上側を向く。以下では、このときの開口部ＯＰ２の位置を、第１の位置というものとする。
【００３３】
底壁２２ｃが地面等の載置面に載置された状態において、第１の位置は、開口部ＯＰ２の向きが水平面に対して１０°〜８０°となる位置であってもよいし、３０°〜６０°となる位置であってもよいし、４０°〜５０°となる位置であってもよい。この場合、ホース２Ｂがサブユニット３０内に巻き取られた際に、開口部〜Ｐ２が第１の位置にあると、開口部ＯＰ２から飛び出ているホース２Ｂの先端及びロータリコネクタ５Ｂが斜め上方を向きやすくなる。そのため、ロータリコネクタ５Ｂを収納部ＳＴに収納する際のロータリコネクタ５Ｂの取り回しが容易となる。
【００３４】
一方、図７に示されるように、サイドリング３２が反時計回りに回転して、突条３２ａが他方の係止片２２ｇと当接すると、サイドリング３２の反時計回りでの回転が規制される（矢印Ａｒ４参照）。このとき、サイドリング３２の開口部ＯＰ２は、図６に示されるように、後方斜め下側を向く。以下では、このときの開口部ＯＰ２の位置を、第２の位置というものとする。
【００３５】
底壁２２ｃが地面等の載置面に載置された状態において、第２の位置は、開口部ＯＰ２の向きが水平面に対して１９０°〜２６０°となる位置であってもよいし、２１０°〜２４０°となる位置であってもよいし、２２０°〜２３０°となる位置であってもよい。この場合、ホース２Ｂの巻き取り中に、図６に示されるように、ホース２Ｂの先端及びロータリコネクタ５Ｂが斜め下方を向きやすくなる。そのため、ホース２Ｂ内の滞留水が自然とホース２Ｂの先端から排出される。従って、ホース２Ｂの巻き取りと、ホース２Ｂ内の滞留水の排出とを同時に行うことが可能となる。その結果、特に冬期において、ホース２Ｂ内の滞留水が凍結することによる不具合が極めて生じ難くなる。
【００３６】
サイドカバー３４は、サイドリング３２及び側壁２２ａの外壁面Ｓとの間で囲まれる収容空間を構成している。当該収容空間内には、ホース２Ｂが収容される。サイドカバー３４は、図３に示されるように、円盤状を呈している。サイドカバー３４の中央部には、貫通孔３４ａが設けられている。貫通孔３４ａは、配管部２６の他端側に位置する突起部２６ａが挿通可能に構成されている。
【００３７】
サイドカバー３４の外表面は凹凸形状を呈している。サイドカバー３４の凸部は、ハンドルＨ２として機能する。ユーザがハンドルＨ２を把持して、サイドカバー３４を所定の方向（例えば、反時計回り）に回転させると、配管部２６が同時に回転して、配管部２６周りにホース２Ｂが巻き取られる。なお、サイドリング３２の幅がホース２Ｂの直径と同程度又はホース２Ｂの直径よりも若干大きく設定されていると、ホース２Ｂは、サブユニット３０内において平面渦巻き状に収容される（図２参照）。この場合、サブユニット３０の小型化を図ることが可能となる。
【００３８】
［作用］
ところで、ホース２Ｂは、サイドリング３２の開口部ＯＰ２を介してサブユニット３０内から外側に引き出されている。以上の実施形態では、サイドリング３２が側壁２２ａの外壁面Ｓに対して回転可能に取り付けられている。そのため、ホース２Ｂの先端側の動きに応じて、ホース２Ｂが開口部ＯＰ２に引っかかってサイドリング３２を押し、サイドリング３２が回転する。従って、ホース２Ｂを引き出してその先端側を水道栓６に接続する場合や、ホース２Ｂをサブユニット３０内に巻き取る場合などに、自然と適切な方向を向くようになる。その結果、ホース２Ｂの取り回しの自由度を高めることが可能となると共に、ホース２Ｂの引き出し量の短縮化を図ることが可能となる。加えて、開口部ＯＰ２の近傍においてホース２Ｂに対し負荷が極めて生じ難くなるので、ホース２Ｂの折れ曲がりを抑制することが可能となる。
【００３９】
以上の実施形態では、サイドリング３２の回転可能範囲が、係止片２２ｇ及び突条３２ａによって所定範囲に限定されている。そのため、サイドリング３２とサイドカバー３４との間に生ずる摩擦力により、これらが共廻りした場合であっても、係止片２２ｇ及び突条３２ａによってサイドリング３２の回転が制動される。従って、サイドカバー３４を回転させてホース２Ｂをサブユニット３０内に巻き取る際に、共廻りによりホース２Ｂが巻き取り難くなるといった事態を抑制することが可能となる。
【００４０】
［変形例］
以上、本開示に係る実施形態について詳細に説明したが、特許請求の範囲及びその要旨を逸脱しない範囲で種々の変形を上記の実施形態に加えてもよい。例えば、上記の実施形態は、突条３２ａが係止片２２ｇに係止されたときにサイドリング３２の回転が止まるように構成されていたが、サイドリング３２の回転可能範囲を制限するための手段は、これに限られない。
【００４１】
具体的には、サイドリング３２の一部との間で摩擦力を生じさせる摩擦部材（例えば、ゴム、凹凸状の粗面を含む部材など）によって、サイドリング３２の回転可能範囲を制限してもよい。この場合、サイドリング３２の当該一部が摩擦部材に接触しない間は、サイドリング３２がスムーズに回転するが、サイドリング３２の当該一部が摩擦部材に接触すると、サイドリング３２の回転が制動される。
【００４２】
あるいは、サイドリング３２の回転量に応じた復元力を生じさせる弾性部材（例えば、ゴム、バネなど）によって、サイドリング３２の回転可能範囲を制限してもよい。この場合、サイドリング３２の回転量が大きくなると、それに応じた大きさの復元力がサイドリング３２に作用するので、復元力がある程度の大きさとなったときに自ずとサイドリング３２の回転が制動される。
【００４３】
［例示］
例１．本開示の一つの例に係るホースリールは、メインホースを収容するように構成されており、メインホースの取出口となる第１の開口部を含むメインユニットと、メインユニット内に位置するようにメインユニットに対して回転可能に取り付けられており、メインホースが巻回されるように構成されたドラムと、メインユニットの外壁面に取り付けられており、サブホースを収容するように構成されたサブユニットと、ドラムを介してメインユニットの内部とサブユニットの内部との間で延びており、一端にメインホースの基端が接続されると共に他端にサブホースの基端が接続されるように構成された配管部とを備える。サブユニットは、サブホースの取出口となる第２の開口部を含み、メインユニットに対して独立して回転可能に構成されている。この場合、サブホースは、サブユニットの第２の開口部を介してサブユニット内から外側に引き出される。そのため、サブホースの先端側の動きに応じて、サブホースが第２の開口部に引っかかってサブユニットを押し、サブユニットが回転する。従って、サブホースを引き出してその先端側を水栓に接続する場合や、サブホースをサブユニット内に巻き取る場合などに、自然と適切な方向を向くようになる。その結果、サブホースの取り回しの自由度を高めることが可能となると共に、サブホースの引き出し量の短縮化を図ることが可能となる。加えて、第２の開口部の近傍においてサブホースに対し負荷が極めて生じ難くなるので、サブホースの折れ曲がりを抑制することが可能となる。
【００４４】
例２．例１のホースリールにおいて、サブユニットは、円形状を呈する主壁と、主壁とメインユニットとの間で延びており、円筒状を呈する周壁とを含み、第２の開口部は周壁に設けられており、主壁は、周壁に対して独立して回転可能に構成されていてもよい。
【００４５】
例３．例１又は例２のホースリールは、サブユニットの回転可能範囲を第１の位置と第２の位置との間の範囲内に限定するように構成された規制部材をさらに備えていてもよい。この場合、主壁と周壁との間に生ずる摩擦力により、主壁と周壁とが共廻りした場合であっても、規制部材によって周壁の回転が制動される。そのため、主壁を回転させてサブホースをサブユニット内に巻き取る際に、共廻りによりサブホースが巻き取り難くなるといった事態を抑制することが可能となる。
【００４６】
例４．例３のホースリールにおいて、規制部材は、サブユニットと係止可能に構成された係止片、サブユニットとの間で摩擦力を生じさせる摩擦部材、又はサブユニットの回転量に応じた復元力を生じさせる弾性部材であってもよい。
【００４７】
例５．例３又は例４のホースリールにおいて、第１の位置は、メインユニットの底部が載置面に載置された状態で、第２の開口部の向きが水平面に対して１０°〜８０°となる位置であり、第１の開口部の底部側には、サブホースの先端に取り付けられるコネクタを収納可能に構成された収納部が設けられていてもよい。この場合、サブホースが巻き取られた際に、第２の開口部が第１の位置にあると、第２の開口部から飛び出ているサブホースの先端及びコネクタが斜め上方を向きやすくなる。そのため、コネクタを収納部に収納する際のコネクタの取り回しが容易となる。
【００４８】
例６．例３〜５のいずれかのホースリールにおいて、第２の位置は、メインユニットの底部が載置面に載置された状態で、第２の開口部の向きが水平面に対して１９０°〜２６０°となる位置であってもよい。この場合、サブホースの巻き取り中に、サブホースの先端が斜め下方を向きやすくなる。そのため、サブホース内の滞留水が自然とサブホースの先端から排出される。従って、サブホースの巻き取りと、サブホース内の滞留水の排出とを同時に行うことが可能となる。その結果、特に冬期において、サブホース内の滞留水が凍結することによる不具合が極めて生じ難くなる。
【符号の説明】
【００４９】
１…散水具、２Ａ…ホース（メインホース）、２Ｂ…ホース（サブホース）、３…散水ノズル、５Ａ…ロータリコネクタ、５Ｂ…ロータリコネクタ（コネクタ）、１０…ホースリール、２０…メインユニット、２２…ハウジング、２２ｃ…底壁（底部）、２２ｇ…係止片（規制部材）、２４…ドラム、２６…配管部、３０…サブユニット、３２…サイドリング（周壁）、３２ａ…突条（規制部材）、３４…サイドカバー（主壁）、ＯＰ１…開口部（第１の開口部）、ＯＰ２…開口部（第２の開口部）、Ｓ…外壁面、ＳＴ…収納部。
【図１】
2020007077.tif 000003
【図２】
2020007077.tif 000004
【図３】
2020007077.tif 000005
【図４】
2020007077.tif 000006
【図５】
2020007077.tif 000007
【図６】
2020007077.tif 000008
【図７】
2020007077.tif 000009